(57)【要約】【課題】本発明は、モバイル端末、モバイル決済の安全認定方法及び装置を提供する。【解決手段】該モバイル端末は、モバイル決済を行うためのキャッシュカードと、ＮＦＣチップとを備え、該モバイル端末は、プロセッサからの制御信号を受信し、前記制御信号に応じて前記キャッシュカードと前記ＮＦＣチップとの間の導通路のオン・オフを制御する、キャッシュカードとＮＦＣチップとの間に結合接続された導通スイッチと、前記キャッシュカードが外部リーダーと取引をする前にユーザの入力した認定情報を認定し、正しいと認定された場合、前記導通路をオンにするように前記導通スイッチを制御するための前記制御信号を発生し、正しくないと認定された場合、前記導通路をオフにするように前記導通スイッチを制御するための前記制御信号を発生する、前記導通スイッチに結合接続された前記プロセッサと、をさらに備える。本発明に提供された技術手段によれば、モバイル決済中の安全性を向上させることができる。
2016532170.tif 000002
【特許請求の範囲】
【請求項１】
モバイル決済を行うためのキャッシュカードと、近接場型通信ＮＦＣチップとを備えるモバイル端末であって、
プロセッサからの制御信号を受信し、前記制御信号に応じて前記キャッシュカードと前記ＮＦＣチップとの間の導通路のオン・オフを制御する、前記キャッシュカードと前記ＮＦＣチップとの間に結合接続された導通スイッチと、
前記キャッシュカードが外部リーダーと取引をする前にユーザの入力した認定情報を認定し、正しいと認定された場合、前記導通路をオンにするように前記導通スイッチを制御するための前記制御信号を発生し、正しくないと認定された場合、前記導通路をオフにするように前記導通スイッチを制御するための前記制御信号を発生する、前記導通スイッチに結合接続された前記プロセッサと、をさらに備えるモバイル端末。
【請求項２】
前記導通路がオフの初期状態である場合、又は前記認定情報が正しくないと認定された場合、インターフェースによりユーザに正しい認定情報を入力するように指示する、前記プロセッサに結合接続された表示モジュールをさらに備える請求項１に記載のモバイル端末。
【請求項３】
前記プロセッサが、さらに、前記取引の成功後、前記導通路をオフにするように制御する前記制御信号を発生する請求項１に記載のモバイル端末。
【請求項４】
前記キャッシュカードが、セキュアエレメントＳＥを内蔵した加入者識別モジュールＳＩＭカードと金融集積回路ＩＣカードのうちの一つを含む請求項１ないし３のいずれか一項に記載のモバイル端末。
【請求項５】
モバイル端末における近接場型通信ＮＦＣチップとモバイル決済を行うキャッシュカードとの間に接続された導通スイッチによって実現されるモバイル決済の安全認定方法であって、
前記キャッシュカードが外部リーダーと取引をする前にユーザの入力した認定情報を認定することと、
認定結果に応じて前記導通スイッチのオン・オフを制御し、正しいと認定された場合、前記キャッシュカードと前記ＮＦＣチップとの間の導通路をオンにするように前記導通スイッチを制御し、正しくないと認定された場合、前記導通路をオフにするように前記導通スイッチを制御することと、を含む方法。
【請求項６】
前記導通路がオフの初期状態である場合、又は前記認定情報が正しくないと認定された場合、インターフェースによりユーザに正しい認定情報を入力するように指示することをさらに含む請求項５に記載の方法。
【請求項７】
前記取引の成功後、前記導通スイッチにより前記導通路をオフにするように制御することをさらに含む請求項５又は６に記載の方法。
【請求項８】
モバイル端末における近接場型通信ＮＦＣチップとモバイル決済を行うキャッシュカードとの間に接続された導通スイッチによって実現されるモバイル決済の安全認定装置であって、
前記キャッシュカードが外部リーダーと取引をする前にユーザの入力した認定情報を認定する認定モジュールと、
認定結果に応じて前記導通スイッチのオン・オフを制御し、正しいと認定された場合、前記キャッシュカードと前記ＮＦＣチップとの間の導通路をオンにするように前記導通スイッチを制御し、正しくないと認定された場合、前記導通路をオフにするように前記導通スイッチを制御する制御モジュールと、を備える装置。
【請求項９】
前記導通路がオフにされている場合、又は前記認定情報が正しくないと認定された場合、インターフェースによりユーザに正しい認定情報を入力するように指示する指示モジュールをさらに備える請求項８に記載の装置。
【請求項１０】
前記制御モジュールが、さらに、前記取引の成功後、前記導通スイッチにより前記導通路をオフにするように制御する、請求項８又は９に記載の装置。
【発明の詳細な説明】
【技術分野】
【０００１】
本発明は、モバイル決済分野に関し、具体的に、モバイル端末、モバイル決済の安全認定方法及び装置に関するものである。
【背景技術】
【０００２】
近接場型通信（近距離無線通信（Near Field Communication）ともいい、ＮＦＣと略称）は、現在、主にカード決済手段として機能する場面に応用されるが、決済取引の安全性を保障するために、ＮＦＣ携帯電話はセキュアエレメント（Secure Element、ＳＥと略称）を備える必要がある。現在、主流のＮＦＣ決済手段として、ＳＥを加入者識別モジュール（Subscriber Identity Module、ＳＩＭと略称）に内蔵しているが、携帯電話を紛失したら、不正者が紛失された携帯電話でカード決済業務を行うようになってしまう。
【０００３】
関連技術における上記問題に対して、未だに有効な対策が提案されていない。
【発明の概要】
【発明が解決しようとする課題】
【０００４】
本発明は、関連技術におけるモバイル決済手段の安全保障効果不良等の技術的課題に鑑み、少なくとも上記問題を解決できるモバイル端末、モバイル決済の安全認定方法及び装置を提供することをその目的とする。
【課題を解決するための手段】
【０００５】
本発明の一形態によると、モバイル決済を行うためのキャッシュカードと、ＮＦＣチップとを備えるモバイル端末であって、プロセッサからの制御信号を受信し、前記制御信号に応じて前記キャッシュカードと前記ＮＦＣチップとの間の導通路のオン・オフを制御する、前記キャッシュカードと前記ＮＦＣチップとの間に結合接続された導通スイッチと、前記キャッシュカードが外部リーダーと取引をする前にユーザの入力した認定情報を認定し、正しいと認定された場合、前記導通路をオンにするように前記導通スイッチを制御するための前記制御信号を発生し、正しくないと認定された場合、前記導通路をオフにするように前記導通スイッチを制御するための前記制御信号を発生する、前記導通スイッチに結合接続された前記プロセッサと、をさらに備えるモバイル端末を提供する。
【０００６】
上記モバイル端末が、前記導通路がオフの初期状態である場合、又は前記認定情報が正しくないと認定された場合、インターフェースによりユーザに正しい認定情報を入力するように指示する、前記プロセッサに結合接続された表示モジュールをさらに備えることが好ましい。
【０００７】
前記プロセッサが、さらに、前記取引の成功後、前記導通路をオフにするように制御する前記制御信号を発生することが好ましい。
【０００８】
前記キャッシュカードが、セキュアエレメントＳＥを内蔵した加入者識別モジュールＳＩＭカードと金融集積回路ＩＣカードのうちの一つを含むことが好ましい。
【０００９】
本発明の他の一形態によると、モバイル端末におけるＮＦＣチップとモバイル決済を行うキャッシュカードとの間に接続された導通スイッチによって実現されるモバイル決済の安全認定方法であって、前記キャッシュカードが外部リーダーと取引をする前にユーザの入力した認定情報を認定することと、認定結果に応じて前記導通スイッチのオン・オフを制御し、正しいと認定された場合、前記キャッシュカードと前記ＮＦＣチップとの間の導通路をオンにするように前記導通スイッチを制御し、正しくないと認定された場合、前記導通路をオフにするように前記導通スイッチを制御することと、を含む方法を提供する。
【００１０】
上記方法が、前記導通路がオフの初期状態である場合、又は前記認定情報が正しくないと認定された場合、インターフェースによりユーザに正しい認定情報を入力するように指示することをさらに含むことが好ましい。
【００１１】
上記方法が、前記取引の成功後、前記導通スイッチにより前記導通路をオフにするように制御することをさらに含むことが好ましい。
【００１２】
本発明の更なる一形態によると、モバイル端末における近接場型通信ＮＦＣチップとモバイル決済を行うキャッシュカードとの間に接続された導通スイッチによって実現されるモバイル決済の安全認定装置であって、前記キャッシュカードが外部リーダーと取引をする前にユーザの入力した認定情報を認定する認定モジュールと、認定結果に応じて前記導通スイッチのオン・オフを制御し、正しいと認定された場合、前記キャッシュカードと前記ＮＦＣチップとの間の導通路をオンにするように前記導通スイッチを制御し、正しくないと認定された場合、前記導通路をオフにするように前記導通スイッチを制御する制御モジュールと、を備える装置を提供する。
【００１３】
上記装置が、前記導通路がオフの初期状態である場合、又は前記認定情報が正しくないと認定された場合、インターフェースによりユーザに正しい認定情報を入力するように指示する指示モジュールをさらに備えることが好ましい。
【００１４】
前記制御モジュールが、さらに前記取引の成功後、前記導通スイッチにより前記導通路をオフにするように制御することが好ましい。
【発明の効果】
【００１５】
本発明によれば、モバイル端末におけるキャッシュカードが外部リーダーと取引をする前にユーザの入力した認定情報を認定し、認定結果に応じてキャッシュカードとＮＦＣチップとの間の導通路のオン・オフを制御することによって、関連技術におけるモバイル決済手段の安全保障効果不良等の技術的課題を解決し、モバイル決済中の安全性をさらに向上させる。
【図面の簡単な説明】
【００１６】
ここで説明する図面は本発明を理解させるためのもので、本発明の一部を構成し、本発明における模式的実施例及びその説明と共に本発明を解釈するためのものであり、本発明を不当に限定するものではない。図面において、
【図１】本発明の実施例に係わるモバイル端末の構成のブロック図である。
【図２】本発明の実施例に係わるモバイル端末の他の構成のブロック図である。
【図３】本発明の好適な実施例に係わるモバイル端末の構成を示す図である。
【図４】本発明の実施例に係わるモバイル決済の安全認定方法のフローチャートである。
【図５】本発明の実施例に係わるモバイル決済の安全認定装置の構成のブロック図である。
【図６】本発明の実施例に係わるモバイル決済の安全認定装置の他の構成のブロック図である。
【図７】本発明の好適な実施例に係わるモバイル決済の実現方法のフローチャートである。
【発明を実施するための形態】
【００１７】
以下、図面を参照しつつ実施例を結合して本発明を詳しく説明する。なお、衝突しない限り、本願の実施例及び実施例中の特徴を互いに組み合わせることができる。
【００１８】
図１は、本発明の実施例に係わるモバイル端末の構成のブロック図である。図１に示すように、該モバイル端末は、
モバイル決済を行うためのキャッシュカード１０１と、ＮＦＣチップ１０３と、プロセッサ１０７からの制御信号を受信し、制御信号に応じてキャッシュカード１０１とＮＦＣチップ１０３との間の導通路のオン・オフを制御する、キャッシュカード１０１とＮＦＣチップ１０３との間に結合接続された導通スイッチ１０５と、キャッシュカード１０１が外部リーダーと取引をする前にユーザの入力した認定情報を認定し、正しいと認定した場合、上記導通路をオンにするように導通スイッチを制御するための制御信号を発生し、及び、正しくないと認証した場合、上記導通路をオフにするように上記導通スイッチを制御するための制御信号を発生する、導通スイッチ１０５に結合接続されたプロセッサ１０７と、を備える。
【００１９】
上記各構造によって、モバイル端末におけるキャッシュカードが外部リーダーと取引をする前に、ユーザの入力した認定情報を認定し、認定結果に応じて導通スイッチによりキャッシュカードとＮＦＣチップとの間の導通路のオン・オフを制御するので、モバイル決済手段の安全保障効果不良等の技術的課題を解決することができ、モバイル決済中の安全性を効果的に向上させる。
【００２０】
本実施例において、認定に失敗した場合、又は上記導通路が取引前にオフにされている（即ちオフの初期状態である）場合でも、通常のとおりモバイル決済することができるように、本実施例において、上記モバイル端末は、図２に示すように、制御信号が上記導通路をオフにするように制御するものである場合、インターフェースによりユーザに正しい認証情報を入力するように指示する、プロセッサ１０７に結合接続された表示モジュール１０９をさらに備えてもよい。
【００２１】
本実施例において、稼働資源を節約するために、上記プロセッサ１０７が、さらに、取引の成功後、上記導通路を即時オフにするように、上記導通路をオフにするように制御するための制御信号を発生してもよい。
【００２２】
本実施例において、上記キャッシュカード１０１は、ＳＥを内蔵したＳＩＭカードと金融集積ＩＣカードのうちの一つを含むが、これには限られない。
【００２３】
上記実施例をよりよく理解するために、以下、モバイル端末の一つの好適な実施例を結合して詳しく説明する。以下の好適な実施例は、モバイル端末にＳＩＭカードをＮＦＣチップに接続するためのＳＷＰ導通スイッチを設けることを主な設計思想としている。ＳＷＰ導通スイッチは携帯電話のＧＰＩＯポートにより制御を行う。ユーザがカード決済業務を行う時、暗証番号認証モジュール３０３を動作させる必要があり、正しい暗証番号を入力すると、ＧＰＩＯの出力信号によりＳＷＰ導通スイッチをオンにして、ＮＦＣチップとＳＩＭカード間を導通させば、ＮＦＣカード決済業務を行うことができる。
【００２４】
本好適な実施例は、携帯電話を例として説明する。図３に示すように、該モバイル端末は、アプリケーションプロセッサ（Application Processor、ＡＰと略称）３０１と、暗証番号認証モジュール３０３と、ＮＦＣチップ３０５と、ＳＥを支持するＳＩＭカード３０７と、単線式プロトコル（Single Wire Protocol、ＳＷＰと略称）の導通スイッチ３０９と、ＮＦＣアンテナ３１１とを備える。
【００２５】
ＡＰ３０１は、Ｉ２Ｃバスを介してＮＦＣチップ３０５に接続され、又は他の高速バス、例えば、直列周辺装置インターフェース（Serial Peripheral Interface、ＳＰＩと略称）、高速ユーアート（High Speed UART、ＨＳＵと略称）等を用いる。
【００２６】
ＡＰ３０１は、ＩＳＯ７８１６インターフェースによりＳＩＭカード３０７と通信を行い、ＧＰＩＯによりＳＷＰ導通スイッチ３０９を制御する。
【００２７】
ＳＩＭカード３０７は、ＳＥセキュアエレメントを内蔵し、ＩＳＯ７８１６プロトコルによりＡＰ３０１と通信を行い、ＳＷＰによりＮＦＣチップ３０５と通信を行う。
【００２８】
暗証番号認証モジュール３０３は、ＧＰＩＯポートの出力信号を制御することにより、ＳＷＰ導通スイッチ３０９をオンにする。
【００２９】
ＳＷＰ導通スイッチ３０９は、ＳＷＰ回線を介してＳＩＭカード３０７とＮＦＣチップ３０５とに接続される。ＳＷＰ導通スイッチ３０９は、ＳＩＭカード３０７とＮＦＣチップ３０５間の接続をオン・オフすることができる。
【００３０】
ＮＦＣアンテナ３１１は、ＮＦＣチップ３０５に接続され、無線周波数データを伝送する。ＮＦＣアンテナは、電池の裏側又は携帯電話のバックカバーの内側に貼り付けられることができるが、これには限られない。
【００３１】
図４は、本発明の実施例に係わるモバイル決済の安全認定方法のフローチャートである。本実施例の方法は、モバイル端末におけるＮＦＣチップとモバイル決済を行うキャッシュカードとの間に接続された導通スイッチによって実現され、図４に示すように、以下のステップを含む。
【００３２】
キャッシュカードと外部リーダーとの取引前にユーザが入力した認定情報を認定する（ステップＳ４０２）。
【００３３】
認定結果に応じて導通スイッチのオン・オフを制御し、正しいと認定された場合、キャッシュカードとＮＦＣチップとの間の導通路をオンにするように導通スイッチを制御し、正しくないと認定された場合、上記導通路をオフにするように導通スイッチを制御する（ステップＳ４０４）。
【００３４】
上記各ステップによって、同様にモバイル決済手段の安全保障効果不良等の技術的課題を解決することができ、モバイル決済中の安全性を効果的に向上させる。
【００３５】
本実施例において、導通路がオフの初期状態である場合、又は認定情報が正しくないと認定された場合、インターフェースによりユーザに正しい認定情報を入力するように指示することができる。
【００３６】
資源を節約するために、取引の成功後、導通スイッチにより上記導通路をオフにするように制御する。
【００３７】
本実施例において、モバイル装置における近接通信場型ＮＦＣチップとモバイル決済を行うキャッシュカードとの間に接続された導通スイッチによって実現されるモバイル決済の安全認定装置も提供し、上記実施例及び好適な実施形態を実現するものであって、既に説明したものは省略されるが、以下、該装置に係わっているモジュールについて説明する。以下で使用する用語「モジュール」とは、所定の機能を実現可能なソフトウェア及び／又はハードウェアの組合せである。以下の実施例に説明する装置をソフトウェアで実現することが好ましいが、ハードウェア又はソフトウェアとハードウェアとの組合せにより実現することも可能であり、構想されている。図５は、本発明の実施例に係わるモバイル決済の安全認定装置の構成のブロック図である。図５に示すように、該装置は、
キャッシュカードと外部リーダーとの取引前にユーザが入力した認定情報を認定する、制御モジュール５２に接続された認定モジュール５０と、
認定結果に応じて導通スイッチのオン・オフを制御し、正しいと認定された場合、キャッシュカードとＮＦＣチップとの間の導通路をオンにするように上記導通スイッチを制御し、正しくないと認定された場合、上記導通路をオフにするように導通スイッチを制御する制御モジュール５２と、を備える。
【００３８】
本実施例において、図６に示すように、上記装置は、導通路がオフにされている場合、又は認定情報が正しくないと認定された場合、インターフェースによりユーザに正しい認定情報を入力するように指示する指示モジュール５４をさらに備えることができるが、これには限られない。該指示モジュール５４の機能は、制御モジュール５２とモバイル端末の表示モジュール（例えば、表示画面）により実現されることも可能である。
【００３９】
資源を節約するために、上記制御モジュール５２は、さらに取引の成功後、導通スイッチにより導通路をオフにするように制御することが好ましい。
【００４０】
以下、一つの好適な実施例を結合して、上記実施例の設計思想を利用してモバイル決済を実現する手段を説明する。本実施例におけるモバイル決済の実現方法として、図３に示すモバイル端末に基づいて実現することができるが、これには限られない。
【００４１】
方式１：ＮＦＣカード決済取引を行う前に、ＳＷＰ導通スイッチ３０９がオフにされていれば、ユーザは暗証番号認証モジュール３０３を起動して正しい暗証番号を入力する必要があり、暗証番号が成功に認証された後、暗証番号認証モジュールはＧＰＩＯポートの出力信号を設けて、ＳＷＰ導通スイッチ３０９をオンにする。ＮＦＣチップ３０５とＳＩＭカード３０７間のＳＷＰ接続が導通される。間違った暗証番号が入力されると、暗証番号認証モジュールは、ＮＦＣチップ３０５とＳＩＭカード３０７間の通路をオンにすることを拒否し、この場合、携帯電話は、ＮＦＣカード決済業務を行うことができない。正しい暗証番号が入力されてＳＷＰ通路がオンにされると、携帯電話をＰｏｓ機器に接近させてＮＦＣカード決済業務を行うことができ、Ｐｏｓ機器は、ＮＦＣアンテナ３１１を介してＮＦＣチップ３０５との間で無線通信プロトコルによりデータ交換を行い、また、ＮＦＣチップ３０５は、ＳＩＭカード３０７との間でＳＷＰプロトコルによりデータ交換を行い、言い換えれば、Ｐｏｓ機器はＳＩＭカード内の関連情報を読み取る。取引の成功後、ＮＦＣチップ３０５は、Ｉ２Ｃによりカード決済の成功を携帯電話のＡＰ３０１へ報告し、ＡＰ側では暗証番号認証モジュール３０３を自動的に利用し、ＧＰＩＯポートの出力信号を制御し、ＳＷＰ導通スイッチをオフにすることによりＮＦＣチップ３０５とＳＩＭカード３０７間の通路を断絶させる。
【００４２】
方式２：カード決済取引前に、ユーザは、暗証番号認証モジュール３０３によりＳＷＰ導通スイッチ３０９をオンにすることを忘れている。この場合、携帯電話をＰｏｓ機器に接近させると、ＮＦＣチップ３０５は、ＳＩＭカード３０７との間で通路がないと測定したら、ＮＦＣチップ３０５は、Ｉ２Ｃにより携帯電話のＡＰ３０１へフィードバックし、ＡＰ側では暗証番号認証モジュールを自動的に起動し、ユーザに暗証番号認証モジュールによりＳＷＰ導通スイッチをオンにするように指示するプロンプトがポップアップされる。ユーザは、暗証番号認証モジュールによりＳＷＰ導通スイッチをオンにした後、再びＰｏｓ機器へ接近してＮＦＣカード決済業務を行い、カード決済取引の成功後、ＮＦＣは、カード決済の成功を携帯電話のＡＰ３０１へ報告し、ＡＰ側では暗証番号認証モジュールを自動的に利用してＳＷＰ通路を断絶させる。
【００４３】
上述の実現プロセスをよりよく理解するために、以下、図７に示す流れを結合して詳しく説明する。図７は、本発明の好適な実施例に係わるモバイル決済の実現方法のフローチャートである。図７に示すように、該方法は以下のステップを含む。
【００４４】
ＮＦＣカード決済取引を行う前に、暗証番号認証モジュールにログインしているか否かを測定し、ログインしていれば、ステップＳ７０４に進み、そうでないとステップＳ７１０に進める（ステップＳ７０２）。
【００４５】
ＳＷＰ導通スイッチをオンにして、ステップＳ７０６に進める（ステップＳ７０４）。
【００４６】
Ｐｏｓ機器へ接近してカード決済を行い、ステップＳ７０８に進める（ステップＳ７０６）。
【００４７】
カード決済取引に成功したら、ステップＳ７２２に進める（ステップＳ７０８）。
【００４８】
Ｐｏｓ機器へ接近してカード決済を行い、ステップＳ７１２に進める（ステップＳ７１０）。
【００４９】
カード決済取引に失敗したら、ステップＳ７１４に進める（ステップＳ７１２）。
【００５０】
携帯電話に暗証番号認証モジュールがポップアップされ、ステップＳ７１６に進める（ステップＳ７１４）。
【００５１】
ＳＷＰ導通スイッチをオンにする（ステップＳ７１６）。
【００５２】
Ｐｏｓ機器へ接近してカード決済を行い、ステップＳ７２０に進める（ステップＳ７１８）。
【００５３】
カード決済取引に成功する（ステップＳ７２０）。
【００５４】
ＮＦＣは、カード決済の成功を報告する（ステップＳ７２２）。
【００５５】
ＡＰは、暗証番号認証モジュールを利用してＳＷＰ通路を自動的にオフにすると、終了である（ステップＳ７２４）。
【００５６】
要するに、本発明の実施例によって、以下の有益な効果が実現されている。即ち、関連技術にＮＦＣカード決済機能付き携帯電話を紛失した場合の効果的な保護措置がないが、上記実施例に提供した手段を利用すると、不正者による不正カード決済業務を効果的に防止することができ、また、上記実施例において、ユーザが暗証番号を設定することでＳＷＰ導通スイッチをオンにするようにＧＰＩＯポートの信号を制御し、スイッチがオンにされたら、通常のＮＦＣカード決済業務を行うことができる。また、ＳＷＰ通路をオフにしながらも、ＮＦＣの他の機能に影響しなく、ポイントトゥポイント（Point to Point、Ｐ２Ｐと略称）及びカードリーダーが通常どおり機能するが、カード決済業務のみ支持しなく、また、暗証番号を設定することでＳＷＰ導通スイッチをオンにするようにＧＰＩＯポートの信号を制御する。また、ＳＩＭカードに銀行カードの暗証番号情報が保存されていなければ、カード決済の際にＳＷＰ導通スイッチの暗証番号と銀行カードの暗証番号とを入力する必要があり、二重保護が実現でき、不正窃盗を効果的に防止できる。
【００５７】
もう一つの実施例において、上記実施例及び好適な実施形態に説明する技術手段を実現するためのソフトウェアも提供する。
【００５８】
もう一つの実施例において、上記ソフトウェアが格納された記憶媒体も提供し、該記憶媒体は、光ディスク、ソフトディスク、ハードディス、消去可能メモリ等を含むが、これには限られない。
【産業上の利用可能性】
【００５９】
本発明に提供した技術手段によると、モバイル端末におけるキャッシュカードが外部リーダーと取引をする前に、ユーザの入力した認定情報を認定し、認定結果に応じてキャッシュカードとＮＦＣチップとの間の導通路のオン・オフを制御することができ、モバイル決済中の安全性をさらに向上させることができる。
【００６０】
当業者にとって、上述の本発明の各ブロック又は各ステップは汎用の計算装置によって実現することができ、単独の計算装置に集成させることができれば、複数の計算装置から構成されるネットワークに分布させることもでき、さらに計算装置で実行可能なプログラムのコードによって実現することもできるので、それらを記憶装置に格納して計算装置によって実行することができ、そして場合によって、示した又は説明したステップを上述と異なる手順で実行することができ、それぞれ集積回路ブロックに製作したり、これらのうち複数のブロック又はステップを単独の集積回路ブロックに製作したりして実現することができることは、明らかなことである。このように、本発明は、如何なる特定のハードウェアとソフトウェアの結合に限定されない。
【００６１】
以上は、本発明の好適な実施例にすぎず、本発明を限定することは意図していない。当業者であれば、本発明に様々な変更や変形が可能である。本発明の思想や原則内の如何なる修正、均等の置き換え、改良なども、本発明の保護範囲内に含まれるべきである。
【図１】
2016532170.tif 000003
【図２】
2016532170.tif 000004
【図３】
2016532170.tif 000005
【図４】
2016532170.tif 000006
【図５】
2016532170.tif 000007
【図６】
2016532170.tif 000008
【図７】
2016532170.tif 000009
【国際調査報告】
2016532170.tif 000010
2016532170.tif 000011
2016532170.tif 000012
2016532170.tif 000013